(57)【特許請求の範囲】
【請求項１】
一方表面に情報が記録された長方形の薄葉体を含み、薄葉体の表面を鉛直線と平行に保持した展示物であって、
右支柱、左支柱とクリップバーを有し、
前記右支柱は、底面に磁石を備えた右台座と、右台座に固定されその長手方向が鉛直線方向に保持された右支柱本体を有し、
前記右支柱本体は中空であって、前記右支柱本体の長手方向に延びた一対の右掴み片を備え、前記一対の右掴み片は前記右支柱本体の上端に達していて、
前記左支柱は、底面に磁石を備えた左台座と、左台座に固定されその長手方向が鉛直線方向に保持された左支柱本体を有し、
前記左支柱本体は中空であって、前記左支柱本体の長手方向に延びた一対の左掴み片を備え、前記一対の左掴み片は前記左支柱本体の上端に達していて、
クリップバーは中空であって、長手方向に延びる一対の横辺掴み片を有し、前記一対の横辺掴み片はクリップバーの右端に達していて、かつ、前記一対の横辺掴み片はクリップバーの左端に達していて、前記クリップバーの長さは、薄葉体の左右長さの９０％以上９９％以下であり、
薄葉体の右辺を前記右支柱本体内に位置付けて、薄葉体の一部分が前記一対の右掴み片と当接する位置で、薄葉体が前記一対の右掴み片に挟持され、
薄葉体の左辺を前記左支柱本体内に位置付けて、薄葉体の一部分が前記一対の左掴み片と当接する位置で、薄葉体が前記一対の左掴み片に挟持され、
薄葉体の下辺又は上辺を前記クリップバー内に位置付けて、薄葉体の一部分が前記クリップバーと当接する位置で、薄葉体が前記クリップバーに挟持され、クリップバーの右端と前記右支柱の間は離間し、クリップバーの左端と前記左支柱の間は離間し、
薄葉体の上辺は前記右支柱本体の上端と等しいか前記上端よりも低い位置に位置付けられていて、かつ、薄葉体の下辺は前記右支柱本体の下端と等しいか前記下端よりも低い位置に位置付けられている展示物。
【請求項２】
前記薄葉体が紙であることを特徴とする請求項１に記載した展示物。
【請求項３】
前記薄葉体が布であることを特徴とする請求項１に記載した展示物。
【請求項４】
前記クリップバーは透明体であることを特徴とする請求項１乃至３いずれかに記載した展示物。
【請求項５】
前記薄葉体の右辺近傍であって右辺から一定距離中央部側に右ステープルを係止し、
前記薄葉体の左辺近傍であって左辺から一定距離中央部側に左ステープルを係止し、
右ステープルが一対の右掴み片よりも右側に位置付けられ、
左ステープルが一対の左掴み片よりも左側に位置付けられたことを特徴とする請求項１乃至４いずれかに記載した展示物。
【請求項６】
一方表面に情報が記録されている長方形の薄葉体であって、薄葉体の表面を鉛直線と平行に保持して展示物とするために用いる一組の枠体セットにおいて、
右支柱、左支柱とクリップバーを有し、
前記右支柱は、底面に磁石を備えた右台座と、右台座に固定されその長手方向が鉛直線方向に保持された右支柱本体を有し、
前記右支柱本体は中空であって、右支柱本体の長手方向に延びた一対の右掴み片を備え、前記一対の右掴み片は右支柱本体の上端に達していて、
前記左支柱は、底面に磁石を備えた左台座と、左台座に固定されその長手方向が鉛直線方向に保持された左支柱本体を有し、
前記左支柱本体は中空であって、左支柱本体の長手方向に延びた一対の左掴み片を備え、前記一対の左掴み片は前記左支柱本体の上端に達していて、
クリップバーは中空であって、長手方向に延びる一対の横辺掴み片を有し、前記一対の横辺掴み片はクリップバーの右端に達していて、かつ、前記一対の横辺掴み片はクリップバーの左端に達していて、前記クリップバーの長さは、展示を意図する薄葉体の左右長さの９０％以上９９％以下であり、
展示を意図する薄葉体の右辺を前記右支柱本体内に位置付けて、前記薄葉体の一部分が前記一対の右掴み片と当接する位置で、前記一対の右掴み片が前記薄葉体を挟持し、
展示を意図する前記薄葉体の左辺を前記左支柱本体内に位置付けて、前記薄葉体の一部分が前記一対の左掴み片と当接する位置で、前記一対の左掴み片が前記薄葉体を挟持し、
展示を意図する前記薄葉体の下辺又は上辺を前記クリップバー内に位置付けて、前記薄葉体の一部分が前記クリップバーと当接する位置で、前記クリップバーが前記薄葉体を挟持し、かつ、前記クリップバーの右端と前記右支柱の間は離間し、前記クリップバーの左端と前記左支柱の間は離間して、挟持するために用いる、一組の枠体セット。
【発明の詳細な説明】
【技術分野】
【０００１】
本発明は、商品や役務の宣伝などに使用する店頭陳列用ＰＯＰボード、ポスターなどの展示物に関するものであり、特に、支柱を備え自立するシート状展示物に関するものである。
【背景技術】
【０００２】
店頭陳列用ＰＯＰボードやポスターは、紙や布などに描かれているので、剛性に乏しい。これらを支持して自立させるために、従来、樹脂発泡ボード合紙やダンボール合紙などを台紙とし、紙や布を貼り付けて剛性を補った展示パネルとしている。（例えば、特許文献１参照）
【０００３】
従来の樹脂発泡ボード合紙を台紙に使用したＰＯＰボードは、廃棄時の分別が容易でなく、また環境に対する負荷が大きくなる。従来の樹脂発泡ボード合紙やダンボール合紙などを台紙に使用すれば、台紙の費用が嵩む。特に、オンデマンド対応など小ロット製作する展示物には単価が上昇し、不向きである。
【０００４】
上記の問題点に加えて、展示物の自立には、設置用のクリップを備えた棚などの保持台を備えるか、展示物自体に支持手段を取り付ける必要がある。
【先行技術文献】
【特許文献】
【０００５】
【特許文献１】特開２００８−４６５４０号公報
【発明の概要】
【発明が解決しようとする課題】
【０００６】
展示物の支柱として基部に磁石を備えた支柱（マグネット支柱）を使用すれば、店頭常設の棚面に支柱を自立させることができて、簡便であり、設置の効率もよい。
【０００７】
しかし、両サイドに設けたマグネット支柱で大きな面積のシート状展示物を自立させようとすると、シートの自重に両サイド支柱の保持力が耐えられず、ＰＯＰ面にゆがみやたわみが発生する。
【０００８】
解決しようとする問題点は、簡便なマグネット支柱を使用しつつ、ゆがみやたわみを生じさせず、剛性に乏しいシート状展示物を自立させる点である。
【０００９】
本発明のその他の課題は、本発明の説明により明らかになる。
【課題を解決するための手段】
【００１０】
以下に課題を解決するための手段を述べる。理解を容易にするために、本発明の実施態様に対応する符号を付けて説明するが、本発明は当該実施態様に限定されるものではない。また、符号である数字は部品などを集合的に示すものであり、後に説明する実施例において個別の部品などを示す場合に、当該数字のあとにアルファベットの添字を付けているものがある。
【００１１】
本発明にかかる展示物は、
一方表面に情報が記録された長方形の薄葉体（１０）を含み、薄葉体の表面を鉛直線と平行に保持した展示物であって、
右支柱（２０）、左支柱（３０）とクリップバー（４０）を有し、
前記右支柱は、底面に磁石を備えた右台座と、右台座に固定されその長手方向が鉛直線方向に保持された右支柱本体（２３）を有し、
前記右支柱本体は中空であって、前記右支柱本体の長手方向に延びた一対の右掴み片（２５）を備え、前記一対の右掴み片は前記右支柱本体の上端に達していて、
前記左支柱は、底面に磁石を備えた左台座と、左台座に固定されその長手方向が鉛直線方向に保持された左支柱本体（３３）を有し、
前記左支柱本体は中空であって、前記左支柱本体の長手方向に延びた一対の左掴み片（３５）を備え、前記一対の左掴み片は前記左支柱本体の上端に達していて、
クリップバーは中空であって、長手方向に延びる一対の横辺掴み片（４１）を有し、前記一対の横辺掴み片はクリップバーの右端に達していて、かつ、前記一対の横辺掴み片はクリップバーの左端に達していて、前記クリップバーの長さは、薄葉体の左右長さの９０％以上９９％以下であり、
薄葉体の右辺を前記右支柱本体内に位置付けて、薄葉体の一部分が前記一対の右掴み片と当接する位置で、薄葉体が前記一対の右掴み片に挟持され、
薄葉体の左辺を前記左支柱本体内に位置付けて、薄葉体の一部分が前記一対の左掴み片と当接する位置で、薄葉体が前記一対の左掴み片に挟持され、
薄葉体の下辺又は上辺を前記クリップバー内に位置付けて、薄葉体の一部分が前記クリップバーと当接する位置で、薄葉体が前記クリップバーに挟持され、クリップバーの右端と前記右支柱の間は離間し、クリップバーの左端と前記左支柱の間は離間し、
薄葉体の上辺は前記右支柱本体の上端と等しいか前記上端よりも低い位置に位置付けられていて、かつ、薄葉体の下辺は前記右支柱本体の下端と等しいか前記下端よりも高い位置に位置付けられている。
【００１２】
本発明の好ましい実施態様にかかる展示物において、前記薄葉体が紙であってもよい。
【００１３】
本発明の他の好ましい実施態様にかかる展示物において、前記薄葉体が布であってもよい。
【００１４】
本発明のその他の好ましい実施態様にかかる展示物において、前記クリップバーは透明体であってもよい。
【００１５】
本実施態様によれば、薄葉体の表面に記録されたＰＯＰなどの意匠を阻害しない展示物となる利点がある。
【００１６】
本発明のさらに他の好ましい実施態様にかかる展示物において、
前記薄葉体の右辺近傍であって右辺から一定距離中央部側に右ステープルを係止し、
前記薄葉体の左辺近傍であって左辺から一定距離中央部側に左ステープルを係止し、
右ステープルが一対の右掴み片よりも右側に位置付けられ、
左ステープルが一対の左掴み片よりも左側に位置付けられていてもよい。
【００１７】
本実施態様によれば、簡便かつ安価に左右支柱からの薄葉体の離脱を防止できる利点がある。
【００１８】
本発明の他の態様にかかる一組の枠体セットは、
一方表面に情報が記録されている長方形の薄葉体であって、薄葉体の表面を鉛直線と平行に保持して展示物とするために用いる一組の枠体セットにおいて、
右支柱、左支柱とクリップバーを有し、
前記右支柱は、底面に磁石を備えた右台座と、右台座に固定されその長手方向が鉛直線方向に保持された右支柱本体を有し、
前記右支柱本体は中空であって、右支柱本体の長手方向に延びた一対の右掴み片を備え、前記一対の右掴み片は右支柱本体の上端に達していて、
前記左支柱は、底面に磁石を備えた左台座と、左台座に固定されその長手方向が鉛直線方向に保持された左支柱本体を有し、
前記左支柱本体は中空であって、左支柱本体の長手方向に延びた一対の左掴み片を備え、前記一対の左掴み片は前記左支柱本体の上端に達していて、
クリップバーは中空であって、長手方向に延びる一対の横辺掴み片を有し、前記一対の横辺掴み片はクリップバーの右端に達していて、かつ、前記一対の横辺掴み片はクリップバーの左端に達していて、前記クリップバーの長さは、展示を意図する薄葉体の左右長さの９０％以上９９％以下であり、
展示を意図する薄葉体の右辺を前記右支柱本体内に位置付けて、前記薄葉体の一部分が前記一対の右掴み片と当接する位置で、前記一対の右掴み片が前記薄葉体を挟持し、
展示を意図する前記薄葉体の左辺を前記左支柱本体内に位置付けて、前記薄葉体の一部分が前記一対の左掴み片と当接する位置で、前記一対の左掴み片が前記薄葉体を挟持し、
展示を意図する前記薄葉体の下辺又は上辺を前記クリップバー内に位置付けて、前記薄葉体の一部分が前記クリップバーと当接する位置で、前記クリップバーが前記薄葉体を挟持し、かつ、前記クリップバーの右端と前記右支柱の間は離間し、前記クリップバーの左端と前記左支柱の間は離間して、挟持するために用いる、一組の枠体セットである。
【００１９】
以上説明した本発明、本発明の好ましい実施態様、これらに含まれる構成要素は可能な限り組み合わせて実施することができる。
【発明の効果】
【００２０】
本発明によれば、紙や布などの薄葉体が台紙を必要とせず、ゆがみやたわみなく自立する。このため、店舗などで特別の設備を必要とせず、定番商品の棚に展示物を設置できるのでＰＯＰなどの配置の自由度が高まる。
【００２１】
本発明によれば、展示物の廃棄や取替えにあたり、発泡樹脂ボードなど環境負荷の大きい廃棄物が出ることがなく、また、ダンボールの廃棄も発生しないので、環境にやさしい展示物となる。また、台紙が不要であることと、支柱やクリップバーが繰り返し使用可能であり、製造コストが低減されという利点を有する。
【図面の簡単な説明】
【００２２】
【図１】図１は展示物を示した正面図である。
【図２】図２は右台座２１を示す斜視図である。
【図３】図３は右支柱本体２３を示す斜視図である。
【図４】図４はクリップバー４０を示す斜視図である。
【図５】図５は薄葉体と左ステープルの係止状態を示す説明図である。
【図６】図６は薄葉体左辺近傍と左掴み片の係合状態を示す説明図である。
【図７】図７は布製薄葉体１０ａに補助紙５１を使用してステープルを係止する作業状態を示す説明図である。
【発明を実施するための形態】
【００２３】
以下、図面を参照して本発明の実施例にかかる展示物をさらに説明する。本明細書において参照する各図は、本発明の理解を容易にするため、一部の構成要素を誇張して表現するなど模式的に表しているものがある。このため、構成要素間の寸法や比率などは実物と異なっている場合がある。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２４】
展示物１は長方形の薄葉体１０を含む。長方形には正方形も含まれる。薄葉体１０は、例えば、紙、布、不織布、合成樹脂シート、キャンバス、これらの２つ以上を張り合わせた物である。紙は洋紙であってもよく、和紙であってもよい。紙の厚さに特に制限はないが、特に好ましい紙は厚紙であり、一例を挙げるとコートボール３６．５Ｋｇである。布について特に好ましい一例はポンジクロスである。
【００２５】
本実施例において、薄葉体１０はコートボールに印刷されたポスターである。薄葉体１０は少なくともその一面に情報が記録されている。情報は文字、絵、写真、図柄などである。これらは、通常印刷されている。
【００２６】
薄葉体１０の表面は鉛直線と平行に保持されている。もっとも、平行は幾何学上の厳密な定義に限定されることはなく、鉛直線と０度を超え２０度以内の角度で交わる平面の配置状態も本発明に述べる平行に含まれる。
【００２７】
説明の容易化のため、長方形である薄葉体１０の４辺を、右辺１１、左辺１２、下辺１３と上辺１４と呼ぶことにする。
【００２８】
展示物１は右支柱２０と左支柱３０を有する。
【００２９】
右支柱２０は、右台座２１と右支柱本体２３から構成されている。右台座２１は底面に永久磁石２２を備えている。右台座２１の上面に中空で円柱状の支柱ガイド２１２が突出している。
【００３０】
右支柱本体２３は中空円柱であり、側面が長手方向に切断されていて、一対の右掴み片２５が形成されている。一対の右掴み片２５は右支柱本体２３の上端２４から下端まで連続している。
【００３１】
支柱ガイド２１２の上から、支柱ガイド２１２の内側に右支柱本体２３の下端開口部２７を嵌め込んで、右台座２１と右支柱本体２３が接続、固定されている。
【００３２】
左支柱３０は右支柱２０と同様な構成である。すなわち、左支柱３０は、左台座３１と左支柱本体３３から構成されている。左台座３１は底面に永久磁石３２を備えている。
【００３３】
左支柱本体３３は中空円柱であり、側面が長手方向に切断されていて、一対の左掴み片３５が形成されている。一対の左掴み片３５は左支柱本体３３の上端から下端まで連続している。
【００３４】
左台座３１と左支柱本体３３の接続、固定は右支柱と同一である。
【００３５】
クリップバー４０においてその断面は直角三角形の直交する一辺を延長した形である。クリップバーは中空である。クリップバーにおいて、その断面における上記延長された辺に接する頂点を長手方向に結ぶ一の辺部分が開口していて、一対の横辺掴み片４１を形成している。一対の横辺掴み片４１は、クリップバー４０の右端４２から左端４３まで連続している。
【００３６】
クリップバーが透明であると、ポスターなど薄葉体１０に記録された情報の意匠を変更しないので、意匠面から好ましい。
【００３７】
クリップバー４０の長手方向の長さは、薄葉体の左右長さの９０％以上９９％以下である。ここで薄葉体の左右長さは右辺１１と左辺１２の間隔と言い換えることができる。
【００３８】
薄葉体１０は右辺１１を右支柱本体の中に納め、右辺から一定距離内側に入った線が一対の右掴み片２５と当接する。当該当接位置で、薄葉体１０は一対の右掴み片２５に挟持されている。
【００３９】
薄葉体１０は左辺１２を左支柱本体の中に納め、左辺から一定距離内側に入った線が一対の左掴み片３５と当接する。当該当接位置で、薄葉体１０は一対の左掴み片３５に挟持されている。
【００４０】
展示物１の組み立て作業は、右支柱本体２３の上端２４に薄葉体１０の右片近傍を差し込んで、薄葉体１０を押し下げれば（すなわち挿入すれば）、薄葉体１０の右辺近傍が一対の右掴み片２５に挟持される状態となる。同様に、左支柱本体３３の上端３４に薄葉体１０の左片近傍を差し込んで、薄葉体１０を押し下げれば（すなわち挿入すれば）、薄葉体１０の左辺近傍が一対の左掴み片３５に挟持される状態となる。
【００４１】
さらに、薄葉体１０は下辺１３をクリップバーの空間部に納め、下辺から一定距離内側に入った線が一対の横辺掴み片４１と当接する。当該当接位置で、薄葉体１０は一対の横辺掴み片４１に挟持される。
【００４２】
上記挟持された状態で、クリップバーの右端４２と右支柱２０の間（当該間隙を矢印４２１で図示している）は離間している。同時に、クリップバーの左端４３と左支柱３０の間（当該間隙を矢印４３１で図示している）は離間している。
【００４３】
このようにクリップバーは右支柱、左支柱と直接固着されていない。このため、展示物１は、突然の風など周辺環境の乱れに由来する不測の外力を柔らかく受け止めることができる。そして、不測の外力負荷が無くなれば、再度、薄葉体１０のゆがみなどを矯正できる。
【００４４】
クリップバー４０は、薄葉体１０の剛性が一定以上ある場合には、下辺ではなく上辺を挟持してもよい。また、２本のクリップバーをそれぞれ上辺と下辺に設置してもよい。
【００４５】
薄葉体１０の上辺１４は右支柱本体の上端２４と等しいか上端２４よりも低い位置に位置付けられている。同様に薄葉体１０の上辺１４は左支柱本体の上端３４と等しいか上端３４」よりも低い位置に位置付けられている。こうして、支柱本体に由来する支持力が、薄葉体１０の上辺にまで行き渡っている。
【００４６】
薄葉体の展示の為に用いる右支柱、左支柱とクリップバーは合成樹脂を材料とすればよい。合成樹脂の一例は、ＡＢＳ、ＰＶＣである。ここで、右支柱は、右台座と右支柱本体を含む。ただし、磁石は除く。左支柱は、左台座と左支柱本体を含む。ただし、磁石は除く。
【００４７】
薄葉体の寸法に特に制限はない。好ましい薄葉体の寸法範囲は、右辺が４０ｃｍ〜９０ｃｍ、下辺が６０ｃｍ〜１２０ｃｍである。実施例における薄葉体の寸法は右辺が６０ｃｍ、下辺が９０ｃｍである。
【００４８】
次に展示物１のより一層好ましい実施態様を説明する。図５を参照して、薄葉体１０の左辺１２近傍であって左辺から一定距離中央部側に左ステープル１６ａ、１６ｂを係止している。図中の破線１２１で示す線は、左掴み片３５が当接する線である。すなわち左ステープルは、左辺近傍が一対の左掴み片に挟持された時に、左支柱本体の中に収納される部分に係止されている。
【００４９】
図６は薄葉体左辺近傍と左掴み片の係合状態を示す説明図である。左ステープル１６ａは薄葉体１０の厚みを増加させる作用をする。薄葉体１０に左掴み片３５ａ、３５ｂから取り外しの力が働いても、左ステープルが左掴み片３５ａ、３５ｂに強固に掴まって抜けず、容易に離脱することがない利点がある。
【００５０】
同様に、薄葉体右辺に右ステープルを係止することができる。薄葉体の左辺と右辺の両方にステープルを係止すると一層効果が大となる。
【００５１】
さらに、薄葉体１０が布の場合には、帯状の補助紙を使ってステープルを係止すればよい。図７は布製薄葉体１０ａに補助紙５１を使用してステープルを係止する作業状態を示す説明図である。
【００５２】
帯状の補助紙５１を長手方向の折り線５２で折り曲げる。折り線５２に布製薄葉体１０ａの左辺１２を位置付けて左辺近傍を補助紙で覆う。布製薄葉体１０ａ左辺近傍の表面と裏面が補助紙５１で覆われる。補助紙５１の短辺長さは、左掴み片接触線１２１を越えて覆う長さとする。そして、補助紙、布製薄葉体と補助紙の三層構造物にステープル１６ａ、１６ｂを係止する。
【００５３】
このようにすれば、布製薄葉体１０ａの挟持に抜け止め効果を付与する。さらに、布製薄葉体１０ａの場合に、補助紙の剛性とすべり性によって、薄葉体を支柱本体の上端２４、３４から右掴み片、左掴み片の下方に向けての挿入が容易となる副次的な効果も得られる。
【符号の説明】
【００５４】
１    展示物
１０    薄葉体
１１    右辺
１２    左辺
１３    下辺
１４    上辺
１６    左ステープル
２０    右支柱
２１    右台座
２２    磁石
２３    右掴み片
３０    左支柱
３１    左台座
３２    磁石
３３    左掴み片
４０    クリップバー
４１    横辺掴み片
【図１】
0005461230.tif 000002
【図２】
0005461230.tif 000003
【図３】
0005461230.tif 000004
【図４】
0005461230.tif 000005
【図５】
0005461230.tif 000006
【図６】
0005461230.tif 000007
【図７】
0005461230.tif 000008